(57)【要約】【課題】ＬＥＤの輝度補正の精度を向上することができるＬＥＤ表示装置およびその輝度補正方法を提供することを目的とする。【解決手段】ＬＥＤ表示装置１００Ａは、複数の第１ＬＥＤ１のそれぞれを画素として有する第１ＬＥＤ表示部１０と、入力される表示データに基づいて第１ＬＥＤ表示部１０を駆動する第１駆動部５とを備えるＬＥＤ表示装置である。ＬＥＤ表示装置１００Ａは積算部６および輝度補正部４を備える。積算部６は、ランダムな時間間隔で、複数の第１ＬＥＤ１それぞれの点灯時間を個別に積算した累積点灯時間を算出する。輝度補正部４は、積算部６で算出される複数の第１ＬＥＤ１それぞれの累積点灯時間に基づいて、複数の第１ＬＥＤ１それぞれの輝度を個別に補正する。【選択図】図１
2018072531.tif 000002
【特許請求の範囲】
【請求項１】
複数のＬＥＤのそれぞれを画素として有するＬＥＤ表示部と、入力される表示データに基づいて前記ＬＥＤ表示部を駆動する駆動部とを備えるＬＥＤ表示装置であって、
ランダムな時間間隔で、前記複数のＬＥＤそれぞれの点灯時間を個別に積算した累積点灯時間を算出する積算部と、
前記積算部で算出される前記複数のＬＥＤそれぞれの累積点灯時間に基づいて、前記複数のＬＥＤそれぞれの輝度を個別に補正する輝度補正部と
を備える、ＬＥＤ表示装置。
【請求項２】
請求項１に記載のＬＥＤ表示装置であって、
前記積算部はランダムな時間間隔で、前記ＬＥＤ表示部が前記駆動部によって駆動された累積駆動時間を算出し、前記駆動部が前記ＬＥＤ表示部を駆動する現在の駆動条件に基づいて、前記複数のＬＥＤそれぞれの、前記累積稼働時間に対する点灯時間の割合を個別に平均化して示す平均駆動係数を算出し、前記累積駆動時間および前記平均駆動係数に基づいて前記複数のＬＥＤそれぞれの累積点灯時間を算出する、ＬＥＤ表示装置。
【請求項３】
請求項１または請求項２に記載のＬＥＤ表示装置であって、
前記ＬＥＤ、前記ＬＥＤ表示部および前記駆動部を、それぞれ、第１ＬＥＤ、第１ＬＥＤ表示部および第１駆動部とし、
前記ＬＥＤ表示装置は、
前記第１ＬＥＤと同一のＬＥＤである第２ＬＥＤを有する第２ＬＥＤ表示部と、
前記第２ＬＥＤの累積点灯時間が前記複数の第１ＬＥＤそれぞれの累積点灯時間よりも長くなるように、前記第２ＬＥＤ表示部を駆動する第２駆動部と、
前記第２ＬＥＤの輝度を測定する輝度測定部と
をさらに備え、
前記輝度補正部は、前記積算部で算出される前記複数の第１ＬＥＤそれぞれの累積点灯時間と、前記輝度測定部で測定される前記第２ＬＥＤの輝度が記第２ＬＥＤの累積点灯時間に対応づけられた輝度低下率とに基づいて、前記複数の第１ＬＥＤそれぞれの輝度を個別に補正する、ＬＥＤ表示装置。
【請求項４】
請求項１から請求項３のいずれか一項に記載のＬＥＤ表示装置であって、
前記ＬＥＤを第１ＬＥＤとし、
前記ＬＥＤ表示装置は、
前記積算部が前記複数の第１ＬＥＤそれぞれの累積点灯時間を算出するタイミングを示すタイミング情報が入力される入力部をさらに備え、
前記積算部は、前記入力部に入力される前記タイミング情報が示す前記タイミングで前記複数の第１ＬＥＤそれぞれの累積点灯時間を算出する、ＬＥＤ表示装置。
【請求項５】
請求項４に記載のＬＥＤ表示装置であって、
前記タイミング情報は時系列に変化する前記タイミングを示す情報である、ＬＥＤ表示装置。
【請求項６】
請求項４に記載のＬＥＤ表示装置であって、
前記第１ＬＥＤが所定の周期で点滅する点滅モードを含む複数の動作モードを有し、
前記ＬＥＤ表示装置の動作モードが前記点滅モードであるか否かを判定するモード管理部をさらに備え、
前記タイミング情報は、前記複数の動作モードのそれぞれに対応付けられた複数の前記タイミングを示す情報であって、
前記積算部は、前記モード管理部で前記ＬＥＤ表示装置の動作モードが前記点滅モードであると判定される場合には、前記タイミング情報が示す前記点滅モードに対応付けられた前記タイミングで前記第１ＬＥＤそれぞれの累積点灯時間を算出する、ＬＥＤ表示装置。
【請求項７】
複数のＬＥＤのそれぞれを画素として有するＬＥＤ表示部と、入力される表示データに基づいて前記ＬＥＤ表示部を駆動する駆動部とを備えるＬＥＤ表示装置の輝度補正方法であって、
（ａ）ランダムな時間間隔で、前記複数のＬＥＤそれぞれの点灯時間を個別に積算した累積点灯時間を算出する工程と、
（ｂ）前記工程（ａ）において算出される前記複数のＬＥＤそれぞれの累積点灯時間に基づいて、前記複数のＬＥＤそれぞれの輝度を個別に補正する工程と
を備える、ＬＥＤ表示装置の輝度補正方法。
【発明の詳細な説明】
【技術分野】
【０００１】
本発明は、ＬＥＤ表示装置およびその輝度補正方法に関するものであり、特に、複数のＬＥＤ（Light Emitting Diode：発光ダイオード）をマトリクス状に配置し、個々のＬＥＤに対する点滅制御により映像情報を表示するＬＥＤ表示装置およびその輝度補正方法に関するものである。
【背景技術】
【０００２】
複数のＬＥＤのそれぞれを画素として用いるＬＥＤ表示装置は、ＬＥＤの技術発展と低コスト化により、屋内外での広告表示などに多く使用されている。これらのＬＥＤ表示装置はこれまで、自然画像、およびアニメーションなどの動画像を表示することが主であったが、画素ピッチの狭ピッチ化に伴い視認距離が短くなることで、屋内用途においては会議および監視などの用途にも使用されている。特に監視用途においては、ＬＥＤ表示装置は、例えばパソコンなどから入力される静止画に近い画像を表示することが多くなっている。
【０００３】
ＬＥＤは点灯時間が長くなるにしたがって輝度が低下する。このため、ＬＥＤ表示部に表示する画像の内容によっては各ＬＥＤの輝度低下率が異なり、結果的に画素毎に輝度ばらつき、および色ばらつきが発生する。
【０００４】
これらの輝度ばらつき、および色ばらつきを低減するために、ＬＥＤ表示部の輝度を検出し、この検出結果に基づいて各ＬＥＤの輝度を補正する方法、また、各ＬＥＤの点灯時間を個別に積算し、この積算結果と、すでに測定されたＬＥＤの点灯時間と輝度との関係とに基づいて輝度補正係数を算出し、当該輝度補正係数に基づいて各ＬＥＤの輝度を個別に補正する方法が提案されている（例えば、特許文献１および特許文献２を参照。）。
【先行技術文献】
【特許文献】
【０００５】
【特許文献１】特開平１１−１５４３７号公報
【特許文献２】特開２００６−３３０１５８号公報
【発明の概要】
【発明が解決しようとする課題】
【０００６】
しかしながら、各ＬＥＤの点灯時間を個別に積算し、この積算結果に基づいて各ＬＥＤの輝度を個別に補正する従来の技術では、この積算処理を行うタイミングが一定周期となっていることが多い。この場合、ＬＥＤ表示部が、映像が変化しない静止画を表示する場合には問題ないが、監視用途における警告信号などＬＥＤが一定周期で点滅するような映像を表示する場合には、ＬＥＤの点滅周期が積算処理の周期と重なってしまうことがある。その結果、実際にはＬＥＤが点滅しているにも関わらず、点灯もしくは消灯しているかのように積算処理が行われるという問題が発生する。
【０００７】
そこで、本発明は上記のような問題点に鑑みてなされたものであり、各ＬＥＤの点灯時間をランダムな時間間隔で個別に積算し、この積算結果に基づいて各ＬＥＤの輝度を個別に補正することによって、一定周期で積算する場合よりもＬＥＤの輝度補正の精度を向上することができるＬＥＤ表示装置およびその輝度補正方法を提供することを目的とする。
【課題を解決するための手段】
【０００８】
本発明に係るＬＥＤ表示装置は、複数のＬＥＤのそれぞれを画素として有するＬＥＤ表示部と、入力される表示データに基づいてＬＥＤ表示部を駆動する駆動部とを備えるＬＥＤ表示装置である。ＬＥＤ表示装置は積算部および輝度補正部を備える。積算部は、ランダムな時間間隔で、複数のＬＥＤそれぞれの点灯時間を個別に積算した累積点灯時間を算出する。輝度補正部は、積算部で算出される複数のＬＥＤそれぞれの累積点灯時間に基づいて、複数のＬＥＤそれぞれの輝度を個別に補正する。
【０００９】
また、本発明に係るＬＥＤ表示装置の輝度補正方法は、複数のＬＥＤのそれぞれを画素として有するＬＥＤ表示部と、入力される表示データに基づいてＬＥＤ表示部を駆動する駆動部とを備えるＬＥＤ表示装置の輝度補正方法である。ＬＥＤ表示装置の輝度補正方法は、（ａ）ランダムな時間間隔で、複数のＬＥＤそれぞれの点灯時間を個別に積算した累積点灯時間を算出する工程と、（ｂ）工程（ａ）において算出される複数のＬＥＤそれぞれの累積点灯時間に基づいて、複数のＬＥＤそれぞれの輝度を個別に補正する工程とを備える。
【発明の効果】
【００１０】
本発明によれば、ランダムな時間間隔で複数のＬＥＤそれぞれの累積点灯時間が算出されることから、ＬＥＤが一定周期で点滅する場合においても、ＬＥＤの点滅周期と複数のＬＥＤそれぞれの累積点灯時間が算出されるタイミングとが一致することを抑制することができる。これにより、実際にはＬＥＤが点滅しているにも関わらず、ＬＥＤが点灯または消灯しているかのように累積点灯時間が算出されることを抑制することができる。このようにＬＥＤの累積点灯時間をより正確に算出することによって、ＬＥＤの輝度補正の精度を向上することができる。
【図面の簡単な説明】
【００１１】
【図１】実施の形態１に係るＬＥＤ表示装置の構成を示すブロック図である。
【図２】ＰＷＭ駆動を説明するための図である。
【図３】第１ＬＥＤにおける累積点灯時間と輝度低下率との関係を示す図である。
【図４】第２ＬＥＤにおける累積点灯時間と輝度低下率との関係を示す図である。
【図５】輝度補正処理の動作を示すフローチャートである。
【図６】第１ＬＥＤの点滅と積算処理のタイミングとの関係を示す図である。
【図７】積算処理毎のデューティ比および累積稼働時間を示す図である。
【図８】積算処理（１）における積算処理毎の計算結果を示す図である。
【図９】積算処理（１）〜（３）それぞれにおける最大累積点灯時間および輝度低下率を示す図である。
【図１０】積算処理（２）における積算処理毎の計算結果を示す図である。
【図１１】積算処理（３）における積算処理毎の計算結果を示す図である。
【図１２】実施の形態２に係るＬＥＤ表示装置の構成を示すブロック図である。
【図１３】第１ＬＥＤの点滅と積算処理のタイミングとの関係を示す図である。
【図１４】実施の形態３に係るＬＥＤ表示装置の構成を示すブロック図である。
【図１５】タイミング情報を示す図である。
【図１６】実施の形態４に係るＬＥＤ表示装置の構成を示すブロック図である。
【図１７】ＬＥＤ表示装置のハードウェア構成を示すブロック図である。
【発明を実施するための形態】
【００１２】
以下、本発明の実施の形態について図面に基づいて説明する。
【００１３】
＜実施の形態１＞
＜ＬＥＤ表示装置の構成＞
図１は、本発明の実施の形態１に係るＬＥＤ表示装置１００Ａの構成の一例を示すブロック図である。図１に示されるように、ＬＥＤ表示装置１００Ａは、入力端子２、映像信号処理回路３、輝度補正部４、第１駆動部５、第１ＬＥＤ表示部１０、積算部６および点灯時間記憶部７を備える。さらにＬＥＤ表示装置１００Ａは、駆動データ生成部１６、第２駆動部８、第２ＬＥＤ表示部２０、輝度測定部９、輝度低下率記憶部１１および補正係数演算部１２を備える。
【００１４】
第１ＬＥＤ表示部１０は、画素としてマトリクス状に配置された複数の第１ＬＥＤ１を備える。図１の例では、第１ＬＥＤ表示部１０は、縦４×横４の計１６個の第１ＬＥＤ１を備える。本実施例では、第１ＬＥＤ１は、フルカラー表示用のＬＥＤであって、赤（Ｒ）、緑（Ｇ）および青（Ｂ）の３個のＬＥＤ素子１ａを備える。
【００１５】
入力端子２には、外部機器（図示せず）などから、文字、記号および図形などの映像情報を含む表示データが入力される。
【００１６】
映像信号処理回路３は、入力端子２を介して入力される表示データに対して、映像表示に必要な領域を選択する処理、およびガンマ補正などの映像信号処理を行う。映像信号処理回路３は、映像信号処理を行った表示データを輝度補正部４に出力する。
【００１７】
輝度補正部４は、後述する補正係数演算部１２で算出される補正係数に基づいて、映像信号処理回路３で映像処理された表示データに対して、複数の第１ＬＥＤ１それぞれの輝度を個別に補正する輝度補正処理を行う。輝度補正部４は、輝度補正処理を行った表示データを第１駆動部５に出力する。
【００１８】
第１駆動部５は、輝度補正部４で輝度補正処理が行われた表示データに基づいて、第１ＬＥＤ表示部１０を駆動する。これにより、映像信号処理および輝度補正処理が行われた表示データに基づく映像が第１ＬＥＤ表示部１０に表示される。
【００１９】
積算部６は、第１駆動部５が第１ＬＥＤ表示部１０を駆動する駆動条件、つまり複数の第１ＬＥＤ１をそれぞれ駆動するのに用いる表示データに基づいて、複数の第１ＬＥＤ１それぞれの点灯時間を個別に積算した累積点灯時間を算出する。積算部６で算出される複数の第１ＬＥＤ１それぞれの累積点灯時間は、点灯時間記憶部７に記憶される。
【００２０】
第２ＬＥＤ表示部２０は、第１ＬＥＤ１と同一のＬＥＤである第２ＬＥＤ２１を備える。ここで第１ＬＥＤ１と同一のＬＥＤとは、点灯時間に対する輝度低下特性が第１ＬＥＤ１と同一のＬＥＤを意味する。本明細書では、説明のため、第１ＬＥＤ表示部１０が備えるＬＥＤを「第１ＬＥＤ１」と称し、第２ＬＥＤ表示部２０が備えるＬＥＤを「第２ＬＥＤ２１」と称して区別する。図１の例では、第２ＬＥＤ表示部２０は、縦２×横２の計４個の第２ＬＥＤ２１を備える。第２ＬＥＤ２１は、赤（Ｒ）、緑（Ｇ）および青（Ｂ）の３個のＬＥＤ素子２１ａを有する。赤（Ｒ）、緑（Ｇ）および青（Ｂ）のＬＥＤ素子２１ａは、それぞれ、赤（Ｒ）、緑（Ｇ）および青（Ｂ）のＬＥＤ素子１ａと同一のＬＥＤ素子である。ここでＬＥＤ素子１ａと同一のＬＥＤ素子とは、点灯時間に対する輝度低下特性がＬＥＤ素子１ａと同一のＬＥＤ素子を意味する。
【００２１】
第２駆動部８は、駆動データ生成部１６で生成される駆動データに基づいて、第２ＬＥＤ表示部２０を駆動する。
【００２２】
輝度測定部９は、第２ＬＥＤ表示部２０の輝度、つまり第２ＬＥＤ２１の輝度を測定する。
【００２３】
輝度低下率記憶部１１は、輝度測定部９で測定される第２ＬＥＤ２１の輝度を第２ＬＥＤ２１の累積点灯時間に対応づけた第２ＬＥＤ２１の輝度低下率を記憶する。
【００２４】
補正係数演算部１２は、点灯時間記憶部７に記憶された複数の第１ＬＥＤ１それぞれの累積点灯時間と、輝度低下率記憶部１１に記憶された第２ＬＥＤ２１の輝度低下率とに基づいて、輝度補正部４での輝度補正処理に用いる補正係数を算出する。
【００２５】
＜輝度補正処理＞
以下では、輝度補正部４が行う輝度補正処理について説明する。
【００２６】
なお、以降の説明では、説明を簡単化するため、第１ＬＥＤ１が有する３色のＬＥＤ素子１ａのそれぞれを特に区別する必要がない場合には、これらをまとめて単に第１ＬＥＤ１と呼ぶ。また、第２ＬＥＤ２１が有する３色のＬＥＤ素子２１ａを特に区別する必要がない場合には、これらをまとめて単に第２ＬＥＤ２１と呼ぶ。したがって、以下で説明する第１ＬＥＤ１に対する各種処理は、３色のＬＥＤ素子１ａのそれぞれに対して行われる処理を示しており、第２ＬＥＤ２１に対する処理は、３色のＬＥＤ素子２１ａのそれぞれに対して行われる処理を示している。
【００２７】
第１ＬＥＤ１の輝度調整においては、ＰＷＭ（Pulse Width Modulation）方式が使用される。図２は、ＰＷＭ駆動を説明するための図である。図２において、波形ＰＦはＰＷＭ駆動における基本周期（「１フレーム」とも呼ばれる。）を示している。以下、この基本周期を「ＰＷＭ基本周期」と呼ぶ。波形ＰＷ１および波形ＰＷ２は、それぞれ、デューティ比が８５％および８０％の場合の駆動波形の例を示している。このように、第１ＬＥＤ１を駆動する駆動波形のデューティ比を変化させることによって、第１ＬＥＤ１の輝度を調整することができる。具体的には、駆動波形のデューティ比が大きいほど、ＰＷＭ基本周期内において第１ＬＥＤ１が点灯する時間が長くなり、第１ＬＥＤ１の輝度がより高いようにユーザに視認される。
【００２８】
積算部６は、複数の第１ＬＥＤ１それぞれの点灯時間を個別に積算した累積点灯時間を算出する。複数の第１ＬＥＤ１それぞれの累積点灯時間の積算処理においては、第１ＬＥＤ１の輝度が最短で表示データの１フレームごとに変化するため、ＰＷＭ基本周期の時間と駆動波形のデューティ比との乗算結果をＰＷＭ基本周期ごとに積算することが望ましい。しかしながら、複数の第１ＬＥＤ１のそれぞれについてＰＷＭ基本周期ごとに積算処理を行うには、膨大な量の積算処理が必要となる。そこで、本実施の形態に係るＬＥＤ表示装置１００Ａでは、以下で説明する方法によってより効率よく積算処理を行う。
【００２９】
＜一定周期での積算処理＞
以下、積算部６が行う積算処理について説明する。なお、本実施の形態では、積算部６は、後述するようにランダムな時間間隔で複数の第１ＬＥＤ１それぞれの点灯時間を個別に積算する積算処理を行うが、説明を簡単化するため、まず積算部６が一定周期で積算処理を行う場合について説明する。
【００３０】
積算部６は、複数の第１ＬＥＤ１それぞれの点灯時間を個別に積算した累積点灯時間を、第１ＬＥＤ表示部１０が第１駆動部５によって駆動された、つまり複数の第１ＬＥＤ１のそれぞれが第１駆動部５によって駆動された累積稼働時間と、複数の第１ＬＥＤのそれぞれを駆動する駆動波形を個別に平均化したデューティ比（以下、「平均駆動係数」とも呼ぶ。）との乗算によって算出する。
【００３１】
ここで、累積稼働時間は、駆動波形のデューティ比が１００％でない場合に第１ＬＥＤ１が実際には点灯していない時間も含む。また、平均駆動係数は、前回の積算処理から現在の積算処理までの時間（以下、「積算処理間隔」とも呼ぶ。）における、第１駆動部５が複数の第１ＬＥＤ１のそれぞれを駆動する際の駆動波形のデューティ比を個別に平均化して示すものである。具体的には、複数の第１ＬＥＤ１のそれぞれについて、現在の積算処理における駆動波形のデューティ比が積算処理間隔におけるすべてのＰＷＭ基本周期において一定であったと仮定して、以下に示すように平均駆動係数が算出される。
【００３２】
前回の積算処理における、第１ＬＥＤ表示部１０が第１駆動部５によって駆動された、つまり複数の第１ＬＥＤ１のそれぞれが第１駆動部５によって駆動された累積稼働時間をｔ０とし、平均駆動係数をＲ０とすると、第１ＬＥＤ１の累積点灯時間Ｓ０は下記の式（１）で示される。
【００３３】
【数１】
2018072531.tif 000003
【００３４】
次に、現在の積算処理における、累積稼働時間をｔ１とし、駆動波形のデューティ比をＲ１とする。ここで、累積稼働時間ｔ０から累積稼働時間ｔ１までの積算処理間隔中のすべてのＰＷＭ基本周期において駆動波形のデューティ比がＲ１で一定であったと仮定すると、累積稼働時間ｔ１での累積点灯時間Ｓ１は下記の式（２）で示される。
【００３５】
【数２】
2018072531.tif 000004
【００３６】
式（１）および式（２）より、累積稼働時間ｔ１での平均駆動係数Ｒ２は下記の式（３）で示される。
【００３７】
【数３】
2018072531.tif 000005
【００３８】
積算部６は、第１ＬＥＤ表示部１０の稼働時間がゼロ、すなわちｔ０＝０から一定時間ごとに平均駆動係数Ｒ２を算出し、当該平均駆動係数Ｒ２を点灯時間記憶部７に記憶する。点灯時間記憶部７に記憶される平均駆動係数Ｒ２は一定時間ごとに更新される。
【００３９】
第１ＬＥＤ表示部１０が表示する表示パターンの変化が少ない場合、すなわち第１ＬＥＤ１の輝度変化が少ない場合、第１ＬＥＤ１を駆動する駆動波形のデューティ比の変化が少なくなる。したがって、積算処理間隔をＰＷＭ基本周期に対して十分長く設定しても、第１ＬＥＤ１の実際の点灯時間と点灯時間記憶部７に記憶された平均駆動係数Ｒ２から算出される第１ＬＥＤ１の累積点灯時間Ｓ１との誤差は小さくなる。このため、当該累積点灯時間Ｓ１を後述する輝度補正処理に用いることができる。このように、積算処理間隔をＰＷＭ基本周期に対して長くすることにより、積算処理量を低減することができる。
【００４０】
＜輝度低下率＞
次に、輝度低下率について説明する。図３は、第１ＬＥＤ１における累積点灯時間と輝度低下率との関係の一例を示す図である。図３の例では、緑（Ｇ）のＬＥＤ素子１ａについてのみ示している。また、累積点灯時間がゼロの場合の輝度つまり初期輝度を１００％として、当該初期輝度からの輝度の低下率を示している。
【００４１】
図３に示されるように、緑（Ｇ）のＬＥＤ素子１ａの輝度低下率は累積点灯時間が長くなるにつれて増加する。つまり、緑（Ｇ）のＬＥＤ素子１ａの輝度は累積点灯時間が長くなるにつれて低下する。図３では緑（Ｇ）のＬＥＤ素子１ａの輝度低下率を示しているが、赤（Ｒ）および青（Ｂ）のＬＥＤ素子１ａそれぞれの輝度低下率も同様に、累積点灯時間が長くなるにつれて増加する（図示せず）。
【００４２】
本実施の形態に係るＬＥＤ表示装置１００Ａでは、第１ＬＥＤ１の輝度低下率は事前の測定によって算出されるのではなく、第２ＬＥＤ２１の輝度を輝度測定部９によって実時間で測定することによって算出される。以下、輝度低下率の測定方法について説明する。
【００４３】
第２ＬＥＤ表示部２０は、駆動データ生成部１６で生成された駆動データに基づいて第２駆動部８によって駆動される。第２駆動部８が第２ＬＥＤ表示部２０を駆動する駆動波形のデューティ比は１００％である。これにより、第２ＬＥＤ２１の累積点灯時間は、複数の第１ＬＥＤ１の中で最も長い累積点灯時間よりも長くなる。なお、第２ＬＥＤ２１の累積点灯時間が第１ＬＥＤ１の累積点灯時間よりも長ければ、第２ＬＥＤ２１を駆動する駆動波形のデューティ比は１００％よりも小さくてもよい。
【００４４】
輝度測定部９によって測定される第２ＬＥＤ２１の輝度は、第２ＬＥＤ２１の累積点灯時間に対応づけられた輝度低下率として輝度低下率記憶部１１に記憶される。
【００４５】
図４は、第２ＬＥＤ２１における累積点灯時間と輝度低下率との関係の一例を示す図である。図４の例では、第２ＬＥＤ２１における、Ｒ、ＧおよびＢの３色のＬＥＤ素子２１ａの輝度低下率を、それぞれ、短破線、実線および長破線で示している。
【００４６】
図４に示されるように、Ｒ、ＧおよびＢの３色のＬＥＤ素子２１ａの輝度低下率は、累積点灯時間が長くなるにつれて増加する。つまり、Ｒ、ＧおよびＢの３色のＬＥＤ素子２１ａの輝度は累積点灯時間が長くなるにつれて低下する。また、図４の例では、Ｒ、ＧおよびＢの３色のＬＥＤ素子２１ａの輝度低下率の変化はそれぞれ異なっている。
【００４７】
Ｒ、ＧおよびＢの３色のＬＥＤ素子２１ａの輝度低下率は、それぞれ、累積点灯時間ｔの関数としてｋｒ（ｔ）、ｋｇ（ｔ）およびｋｂ（ｔ）として示される。図４には、後述する３色のＬＥＤ素子１ａそれぞれの最大累積点灯時間ｔｒｍａｘ、ｔｇｍａｘおよびｔｂｍａｘにおける輝度低下率ｋｒ（ｔｒｍａｘ）、ｋｇ（ｔｇｍａｘ）およびｋｂ（ｔｂｍａｘ）の一例を示している。
【００４８】
Ｒ、ＧおよびＢの３色のＬＥＤ素子２１ａの輝度を輝度測定部９で測定することにより、３色のＬＥＤ素子２１ａそれぞれにおける累積点灯時間に対する輝度低下率を実時間で計測することができる。第２ＬＥＤ２１と第１ＬＥＤ１とは同一のＬＥＤであることから、第２ＬＥＤ２１の輝度低下率を計測することにより、第１ＬＥＤ１における累積点灯時間に対する３色のＬＥＤ素子１ａそれぞれの輝度低下率を実時間で計測していることとなる。これにより、第１ＬＥＤ１の輝度低下率を高精度に算出することができる。
【００４９】
＜輝度補正処理の動作＞
次に、輝度補正処理について説明する。図５は、ＬＥＤ表示装置１００Ａの輝度補正処理の動作の一例を示すフローチャートである。
【００５０】
図５に示されるように、まず、ステップＳＴ１において、積算部６は、累積点灯時間から最大累積点灯時間を算出する。具体的には、積算部６は、複数の第１ＬＥＤ１それぞれにおける３色のＬＥＤ素子１ａ、つまり第１ＬＥＤ表示部１０が有するすべてのＬＥＤ素子１ａそれぞれについて算出した平均駆動係数Ｒ２の中から、Ｒ、ＧおよびＢの各色の最大の平均駆動係数Ｒ２を探索し、Ｒ、ＧおよびＢの各色の最大累積点灯時間を算出する。
【００５１】
次に、ステップＳＴ２において、補正係数演算部１２は、最大輝度低下率を算出する。具体的には、補正係数演算部１２は、輝度低下率記憶部１１を参照し、ステップＳＴ１で算出されたＲ、ＧおよびＢの各色の最大累積点灯時間それぞれに対するＲ、ＧおよびＢ各色のＬＥＤ素子１ａの輝度低下率から、最も大きい輝度低下率を選択し、最大輝度低下率を算出する。
【００５２】
Ｒ、ＧおよびＢ各色のＬＥＤ素子１ａについての最大累積点灯時間をそれぞれ、ｔｒｍａｘ、ｔｇｍａｘおよびｔｂｍａｘとすると、輝度低下率関数ｋｒ（ｔ）、ｋｇ（ｔ）およびｋｂ（ｔ）より、最大輝度低下率ｋｒｇｂ（ｔｍａｘ）は下記の式（４）で示される。
【００５３】
【数４】
2018072531.tif 000006
【００５４】
図４の例では、最大累積点灯時間ｔｒｍａｘ、ｔｂｍａｘおよびｔｇｍａｘは、その順で長くなっており、それぞれに対応する輝度低下率ｋｒ（ｔｒｍａｘ）、ｋｂ（ｔｂｍａｘ）およびｋｇ（ｔｇｍａｘ）は、その順で小さくなっており、ＲのＬＥＤ素子１ａの最大累積点灯時間ｔｒｍａｘにおける輝度低下率ｋｒ（ｔｒｍａｘ）が最大輝度低下率ｋｒｇｂ（ｔｍａｘ）となる。
【００５５】
次に、ステップＳＴ３において、補正係数演算部１２は、複数の第１ＬＥＤ１それぞれの輝度を個別に補正するための補正係数を算出する。具体的には、補正係数演算部１２は、点灯時間記憶部７および輝度低下率記憶部１１を参照し、第１ＬＥＤ表示部１０が備えるすべての第１ＬＥＤ１について、第２ＬＥＤ２１の累積点灯時間に対する輝度低下率と、ステップＳＴ２で算出した最大輝度低下率ｋｒｇｂ（ｔｍａｘ）とから、複数の第１ＬＥＤ１それぞれの輝度を個別に補正するための補正係数を算出する。
【００５６】
次に、ステップＳＴ４において、輝度補正部４は、複数の第１ＬＥＤ１それぞれの輝度を個別に補正する。具体的には、輝度補正部４は、映像信号処理回路３で映像信号処理された表示データを、ステップＳＴ３で算出された補正係数によって補正し、複数の第１ＬＥＤ１それぞれの輝度を個別に補正する。輝度補正部４は、複数の第１ＬＥＤ１のそれぞれを駆動する駆動波形のデューティ比を補正係数によって個別に補正することによって、複数の第１ＬＥＤ１それぞれの輝度を個別に補正する。
【００５７】
第１ＬＥＤ１におけるＲ、ＧおよびＢ各色のＬＥＤ素子１ａの現在の輝度をそれぞれＲｐ、ＧｐおよびＢｐとし、それぞれの累積点灯時間ｔにおける各色のＬＥＤ素子１ａの輝度低下率をｋｒ（ｔ）、ｋｇ（ｔ）およびｋｂ（ｔ）とし、最大輝度低下率をｋｒｇｂ（ｔｍａｘ）とすると、補正後の第１ＬＥＤ１のＲ、ＧおよびＢ各色のＬＥＤ素子１ａそれぞれの輝度Ｒｃｏｍｐ、ＧｃｏｍｐおよびＢｃｏｍｐは下記の式（５）で示される。
【００５８】
【数５】
2018072531.tif 000007
【００５９】
式（５）におけるＲｐ、ＧｐおよびＢｐは、それぞれ、第１ＬＥＤ１のＲ、ＧおよびＢ各色のＬＥＤ素子１ａそれぞれの初期輝度をＲ０、Ｇ０およびＢ０とすると下記の式（６）のように示される。
【００６０】
【数６】
2018072531.tif 000008
【００６１】
式（６）を式（５）に代入すると、Ｒｃｏｍｐ、ＧｃｏｍｐおよびＢｃｏｍｐは下記の式（７）で示される。
【００６２】
【数７】
2018072531.tif 000009
【００６３】
式（７）に示されるように、Ｒｃｏｍｐ、ＧｃｏｍｐおよびＢｃｏｍｐは、それぞれの初期輝度Ｒ０、Ｇ０およびＢ０に対し、最大輝度低下率ｋｒｇｂ（ｔｍａｘ）で統一的に補正されたものとなる。
【００６４】
映像表示時の輝度調整と同様に輝度の補正においても、駆動波形のデューティ比を変化させることによって輝度の補正が可能となる。例えば、ＲのＬＥＤ素子１ａに対しては、ｋｒｇｂ（ｔｍａｘ）＝０．２、ｋｒ（ｔ）＝０．１の場合には、式（５）より、Ｒｐに対する補正係数は（１−０．２）／（１−０．１）＝８／９となるので、ＰＷＭ駆動の駆動波形のデューティ比を８／９倍することにより、輝度を補正することができる。
【００６５】
ここで、例えば、監視用途において監視対象が異常状態となり、ＬＥＤ表示装置１００Ａは警告をユーザに通知するための警告映像を表示するとする。この場合、１つ以上の第１ＬＥＤ１は、当該警告映像の一部である、警告信号のような点滅を繰り返す部分を表示している。当該警告信号は一定間隔で点滅し、第１ＬＥＤ１は規則的に点灯と消灯とを繰り返している。なお、ここでいう「第１ＬＥＤ１の点滅」は、ＰＷＭ駆動におけるＰＷＭ基本周期内での第１ＬＥＤ１の点滅（点灯・消灯）ではなく、ＰＷＭ基本周期以上の周期での第１ＬＥＤ１の輝度の変化のことを意味しており、以下においても同様である。
【００６６】
図６は、第１ＬＥＤ１の点滅（点灯・消灯）と、積算部６が行う積算処理のタイミングとの時間関係を示す図である。
【００６７】
図６における最上段の波形は、一定周期で点滅する第１ＬＥＤ１のデューティ比の変化を示している。図６の例では、第１ＬＥＤ１における点灯時のデューティ比を８０％とし、消灯時のデューティ比を２０％としている。ここでは便宜上、消灯時のデューティ比を０％でなく２０％とし、計算が理解しやすいようにしている。また、第１ＬＥＤ１の点滅周期は４秒であり、第１ＬＥＤ１のＲ、ＧおよびＢ各色のＬＥＤ素子１ａはすべて同じデューティ比で動作しているとする。このように一定周期で点滅している第１ＬＥＤ１に対して上記のような積算処理を行い、輝度補正処理を行う。
【００６８】
図６における上から２〜４段目に示す波形は、それぞれ、異なるタイミングで積算処理を行う積算処理（１）〜（３）における積算処理のタイミングを示している。図７は、図６に示される積算処理（１）〜（３）それぞれにおける、積算処理回数毎の時間と第１ＬＥＤ１の駆動波形のデューティ比とを示す図である。
【００６９】
図６，７に示されるように、積算処理（１）では、積算処理の周期が第１ＬＥＤ１の点滅周期の半分の２秒である。このため、第１ＬＥＤ１が点灯から消灯するとき、またはその逆の場合であっても、タイミング良く積算処理を行うことができるため、複数の第１ＬＥＤ１それぞれの累積点灯時間を正確に計測することができる。図６，７の例では、第１ＬＥＤ１のデューティ比は、積算処理（１）の奇数回目の積算処理時には８０％になっており、偶数回目の積算処理時には２０％となっている。積算処理（２）および積算処理（３）については後で詳細に説明する。
【００７０】
図８は、図６，７に示される積算処理（１）における積算処理毎の、前回の積算処理における累積点灯時間Ｓ０、累積稼働時間ｔ０および平均駆動係数Ｒ０、ならびに現在の積算処理における累積点灯時間Ｓ１、累積稼働時間ｔ１、駆動波形のデューティ比Ｒ１および平均駆動係数Ｒ２の計算結果を示す図である。
【００７１】
第１ＬＥＤ１の各色のＬＥＤ素子１ａのそれぞれについて、Ｓ０、Ｒ０、ｔ０、Ｓ１，Ｒ１、ｔ１およびＲ２を求め、式（４）からｋｒｇｂ（ｔｍａｘ）を算出する。算出されたｋｒｇｂ（ｔｍａｘ）から式（７）に則って輝度補正を行う。
【００７２】
図８に示される値は、ｋｒｇｂ（ｔｍａｘ）となるＬＥＤ素子１ａのものとする。図８に示されるように、積算処理（１）における８回目の積算処理つまり１６秒時点での平均駆動係数Ｒ２は５０％となっている。よって、第１ＬＥＤ１の最大累積点灯時間は、累積稼働時間ｔ１の５０％である８秒になっていることが分かる。ここで、複数の第１ＬＥＤ１間のデューティ比に違いは無いものとしているため、第１ＬＥＤ１間での最大輝度低下率の比較の記述は省略している。
【００７３】
図９は、積算処理（１）〜（３）それぞれにおける最大累積点灯時間および輝度低下率を示す図である。図９のグラフは、第１ＬＥＤ１の累積点灯時間に対する輝度低下率の変化を表している。本来、最も輝度低下率が高い色のデータを示すべきであるが、簡易化のため色を特定しない。
【００７４】
図９における点Ａは、第２ＬＥＤ２１の最大累積点灯時間に対する輝度低下率とする。図８に示されるように、積算処理（１）における第１ＬＥＤ１の累積点灯時間Ｓ１は８秒であるため、図９において、積算処理（１）における最大累積点灯時間に対する輝度低下率は点Ｂとなる。図９における点Ｃおよび点Ｄは、それぞれ、後述する積算処理（２）および積算処理（３）において算出される最大累積点灯時間に対する輝度低下率を示している。
【００７５】
上記説明では、積算処理（１）では理想的な周期で積算処理を行うことができると想定してきたが、実際には第１ＬＥＤ１の点滅周期と同じ周期で積算処理を行うことは、デバイスおよびソフトウェアの性能上の限界などから現実的には難しい。そのため、積算処理の周期は、第１ＬＥＤ１の点滅周期に比べて長くなることがある。
【００７６】
図６，７に示されるように、積算処理（２）は、第１ＬＥＤ１の点滅周期よりも長い４秒周期で積算処理を行う。図６，７の例では、積算処理（２）における各積算処理は、第１ＬＥＤ１のデューティ比が８０％のときに行われている。
【００７７】
図１０は、図６，７に示される積算処理（２）における積算処理毎の、前回の積算処理における累積点灯時間Ｓ０、累積稼働時間ｔ０および平均駆動係数Ｒ０、ならびに現在の積算処理における累積点灯時間Ｓ１、累積稼働時間ｔ１、駆動波形のデューティ比Ｒ１および平均駆動係数Ｒ２の計算結果を示す図である。
【００７８】
図１０に示されるように、積算処理（２）における１６秒時点、つまり４回目の積算処理時での累積点灯時間Ｓ１は１２．８秒であり、積算処理（１）での８秒に比べて長くなっている。つまり、補正係数演算部１２は、第１ＬＥＤ１が実際に点灯していた時間よりも長い時間点灯していたと認識し、実際よりも経年劣化が進み輝度が低下していると判断する。そのため、輝度補正時に各第１ＬＥＤ１の輝度を必要以上に下げて補正してしまい、第１ＬＥＤ表示部１０全体が実力よりも暗くなってしまう。
【００７９】
図９において、点Ｃは、積算処理（２）における第１ＬＥＤ１の最大累積点灯時間に対する輝度低下率を示している。図９に示されるように、点Ｃは、第１ＬＥＤ１の実力である点Ｂよりも輝度が大きく低下したポイントにある。
【００８０】
＜ランダムな周期での積算処理＞
上記説明のように、第１ＬＥＤ１の累積点灯時間Ｓ１を算出する積算処理を一定周期で行う場合には、第１ＬＥＤ１の輝度補正の精度が低下する場合がある。そこで、本実施の形態では、積算部６は、図６，７の積算処理（３）に示されるように、ランダムな時間間隔つまりランダムな周期で積算処理を行う。図６，７の例では、積算処理（３）における１，２，３および５回目の積算処理は、第１ＬＥＤ１のデューティ比が８０％のときに行われ、４回目の積算処理は、第１ＬＥＤ１のデューティ比が２０％のときに行われている。
【００８１】
図１１は、図６，７に示される積算処理（３）における積算処理毎の、前回の積算処理おける累積点灯時間Ｓ０、累積稼働時間ｔ０および平均駆動係数Ｒ０、ならびに現在の積算処理における累積点灯時間Ｓ１、累積稼働時間ｔ１、駆動波形のデューティ比Ｒ１および平均駆動係数Ｒ２の計算結果を示す図である。
【００８２】
図１１に示されるように、積算処理（３）における１６秒時点つまり８回目の積算処理での累積点灯時間Ｓ１は９．２秒であり、積算処理（２）での１２．８秒に比べ、実力値である積算処理（１）での８秒により近い。
【００８３】
図９において、積算処理（３）による第１ＬＥＤ１の最大累積点灯時間に対する輝度低下率を示す点は点Ｄとなる。図９に示されるように、点Ｄが点Ｃよりも点Ｂに近い、つまり積算処理（３）での処理は、積算処理（２）での処理よりも実力値である積算処理（１）の処理結果により近く、輝度補正の精度を向上することができる。
【００８４】
上述のように、一定周期で積算処理を行うと、監視用途での映像コンテンツなどのように大部分が静止画であり、一部が一定周期で点滅している内容を含むものであった場合、その点滅周期が積算処理のタイミングと一致することがある。この場合、第１ＬＥＤ１の点灯または消灯時にのみ積算処理が行われるなどして精度の悪い輝度補正が行われることがある。その結果、複数の第１ＬＥＤ１間の色ずれ、および輝度ずれが発生したり、表示映像を全く別の映像に切り替えた際にも切り替え前の映像が残像のように表示されたりすることがある。
【００８５】
これに対し、本実施の形態においては、ランダムな周期で積算処理を行うことから、第１ＬＥＤ１の点滅周期と積算処理のタイミングとが重なることを抑制することができる。その結果、第１ＬＥＤ１の輝度補正の精度を向上させることができる。
【００８６】
また、第１ＬＥＤ１と同一のＬＥＤである第２ＬＥＤ２１の輝度を輝度測定部９で測定し、第２ＬＥＤ２１の輝度低下率を実測することから、事前に輝度低下率を測定しておく場合と比較して、輝度低下率の精度を向上することができる。よって、より高精度の輝度補正が可能となる。
【００８７】
なお、本実施の形態では、前記積算処理を行う周期をランダムに決定する方法を明記しなかったが、デバイスまたはソフトウェアに標準装備されているランダム関数で乱数を発生させ、それに従って積算処理を行ってもよい。また、標準的なランダム関数でなくとも、ポアソン分布などの確率分布関数を用いてもっともらしい乱数を発生させ、それを利用してもよい。この場合にも、積算処理の計算量を調整するため、積算処理の頻度は適切に設定される。
【００８８】
＜実施の形態２＞
積算処理の周期は、予めＬＥＤ表示装置内に登録されていることがある。しかしながら、表示する映像内に存在する点滅の周期が予め判明している場合には、点滅の周期に合わせて積算処理の周期を決定した方が良い場合がある。
【００８９】
図１２は、実施の形態２に係るＬＥＤ表示装置１００Ｂの構成の一例を示すブロック図である。図１２に示されるようにＬＥＤ表示装置１００Ｂは、図１に示されるＬＥＤ表示装置１００Ａと比較して、入力部１３をさらに備える。なお、実施の形態２において、実施の形態１で説明したものと同一の構成要素については、同一符号を付して詳細な説明を省略する。
【００９０】
ユーザは、入力部１３に積算部６が行う積算処理のタイミングつまり積算処理の周期を示すタイミング情報を入力することができる。積算部６は、入力部１３に入力されるタイミング情報に基づいて、積算処理の周期を設定することができる。
【００９１】
例えば、実施の形態１と同様に第１ＬＥＤ１が点滅する映像を表示しており、点滅の周期も同様に４秒とする。ユーザがこの点滅周期を知っている場合には、当該点滅周期に合わせて積算処理のタイミングを設定することができる。
【００９２】
例えば、第１ＬＥＤ１の点滅周期が４秒である場合に、積算処理の周期を３秒とすると、積算処理の１〜４回目は、それぞれ、第１ＬＥＤ１の消灯時、点灯時、点灯時および消灯時となるように繰り返され、第１ＬＥＤ１の点滅周期に同期して、積算処理が行われることになる。
【００９３】
このように、予め第１ＬＥＤ１の点滅の周期が判明している場合には、その周期に合わせて積算部６が積算処理を行うようにユーザが入力部１３を介して設定を変更することができる。これにより、より適切な周期で積算処理を行うことによって第１ＬＥＤ１の輝度補正の精度をより向上することができる。
【００９４】
なお、本実施の形態においても、入力部１３にタイミング情報が入力されない場合には、積算部６はランダムな周期で積算処理を行ってもよい。
【００９５】
＜実施の形態３＞
映像が点滅している場合、その周期は常に一定ではなく、時間経過とともに変化する場合がある。また、映像コンテンツ自体も時間経過とともに変化する場合がある。
【００９６】
これらの変化のタイミングおよび内容が予め判明している場合には、ユーザが、積算処理のタイミングが時系列に変化するように設定することによって輝度補正の精度向上を図ることができる。
【００９７】
図１３は、第１ＬＥＤ１の点滅と積算処理のタイミングとの関係を示す図である。図１３の例では、１〜６秒の間、第１ＬＥＤ１の点滅周期は２秒であり、デューティ比は明るいときは８０％で暗い時は２０％となっている。また６〜１４秒の間、第１ＬＥＤ１の点滅周期は４秒であり、デューティ比は明るいときは６０％または４０％、暗い時は２０％となっている。また１４秒以降は、第１ＬＥＤ１の点滅周期は２秒であり、デューティ比は明るい時は６０％または８０％、暗い時は２０％となっている。
【００９８】
このように、第１ＬＥＤ１の点滅周期が時間経過とともに変化する場合には、積算処理は、一定周期で行われるよりも、図１３の積算処理（５）のように、第１ＬＥＤ１の点滅周期の変化に合わせて積算処理の周期を変更することが好ましい。
【００９９】
図１４は、実施の形態３に係るＬＥＤ表示装置１００Ｃの構成の一例を示すブロック図である。ＬＥＤ表示装置１００Ｃは、図１２に示される実施の形態２に係るＬＥＤ表示装置１００Ｂと比較してスケジュール管理部１４をさらに備える。なお、実施の形態３において、実施の形態１，２で説明したものと同一の構成要素については、同一符号を付して詳細な説明を省略する。
【０１００】
ユーザは、入力部１３に積算部６が行う積算処理のタイミングを示すタイミング情報を入力することができる。本実施の形態では、ユーザは、当該タイミング情報として、時系列に変化する積算処理のタイミングを入力することができる。タイミング情報は、スケジュール管理部１４に記憶される。積算部６は、スケジュール管理部１４に記録されるタイミング情報が示す時系列に変化するタイミングに基づいて、積算処理の周期を変更しながら積算処理を行うことができる。
【０１０１】
図１５は、スケジュール管理部１４に記憶される時系列に変化する積算処理のタイミングを示すタイミング情報の一例を示す図である。図１５において、上段が経過時間であり、下段が積算処理の周期である。図１５に示されるように、経過時間が０〜６秒の間、積算処理の周期は１秒と登録されており、積算部６は０〜６秒の間、１秒周期で積算処理を行う。同様に、６〜１４秒の間、２秒周期で積算処理を行い、１４秒以降は１秒周期で積算処理を行う。このように、積算部６は、図１５に示されるスケジュールに基づいて、図１３の積算処理（５）に示されるようなタイミングで第１ＬＥＤ１の点滅周期に同期して積算処理を行う。
【０１０２】
以上のように、映像の変化やそのタイミングが予め判明している場合、ユーザがそれらに合わせて時系列に変化する積算処理の周期をスケジュール管理部１４に登録しておけば、最適なタイミングで積算処理を行うことができ、輝度補正の精度を向上させることができる。
【０１０３】
なお、本実施の形態においても、入力部１３にタイミング情報が入力されない場合には、積算部６はランダムな周期で積算処理を行ってもよい。
【０１０４】
＜実施の形態４＞
監視用途において、緊急時は所定の周期で点滅する警告映像が表示されるが、緊急時以外の通常時は警告映像が表示されない場合がある。その場合、積算処理のタイミングをＬＥＤ表示装置の動作状態に合わせて変更することが望ましい。以下では、ＬＥＤ表示部に警告映像が表示されて当該ＬＥＤ表示部が有するＬＥＤが所定の周期で点滅するＬＥＤ表示装置の動作モードを「点滅モード」と呼び、当該点滅モード以外の動作モードを「通常モード」と呼ぶ。
【０１０５】
積算処理のタイミングをＬＥＤ表示装置の動作モードに応じて切り替えるために、予め動作モード毎の積算処理のタイミングがＬＥＤ表示装置内に記憶される。点滅モード用には、ＬＥＤが所定の周期で点滅している場合に適した積算処理のタイミングが登録される。一方、通常モード用には、点滅モード用とは異なる積算処理のタイミングが登録される。
【０１０６】
図１６は、実施の形態４に係るＬＥＤ表示装置１００Ｄの構成の一例を示すブロック図である。ＬＥＤ表示装置１００Ｄは、図１２に示される実施の形態２に係るＬＥＤ表示装置１００Ｂと比較してモード管理部１５をさらに備える。なお、実施の形態４において、実施の形態１，２で説明したものと同一の構成要素については、同一符号を付して詳細な説明を省略する。
【０１０７】
ユーザは、入力部１３に積算部６が行う積算処理のタイミングを示すタイミング情報をモード毎に対応づけて入力することができる。当該タイミング情報は、モード管理部１５に記憶される。モード管理部１５は、ＬＥＤ表示装置１００Ｄの動作モードを判定し、その判定結果に基づいて、判定された動作モードに対応づけられたタイミング情報を積算部６に出力する。積算部６は、モード管理部１５から出力されるタイミング情報が示すタイミングに基づいて積算処理を行う。
【０１０８】
例えば、第１ＬＥＤ１が２秒周期で点滅する場合を点滅モードとし、それ以外の場合を通常モードとする。モード管理部１５には、点滅モード用には１秒周期での積算処理のタイミング情報が登録される。また、通常モード用には２秒周期で積算処理を行うタイミング情報が登録されているものとする。
【０１０９】
この場合、モード管理部１５は、ＬＥＤ表示装置１００Ｄの動作モードが点滅モードであるか否かを判定し、点滅モードであると判定する場合には、点滅モードに対応づけられた１秒周期での積算処理のタイミング情報を積算部６に出力する。この場合、積算部６は、モード管理部１５から出力されるタイミング情報が示すタイミング、つまり１秒周期で積算処理を行う。
【０１１０】
一方、モード管理部１５は、ＬＥＤ表示装置１００Ｄの動作モードが点滅モードでない、つまり通常モードであると判定する場合には、通常モードに対応づけられた２秒周期での積算処理のタイミング情報を積算部６に出力する。この場合、積算部６は、モード管理部１５から出力されるタイミング情報が示すタイミング、つまり２秒周期で積算処理を行う。
【０１１１】
このように、図１３の上段のように第１ＬＥＤ１が点滅する場合、本実施の形態において、動作モードに応じて積算処理のタイミングを切り替えて積算処理をしても、図１３の積算処理（５）と同様の効果が得られる。具体的には、図１３の積算処理（５）の０〜６秒までは、点滅モードの周期で前記積算処理を行う。６〜１４秒までは、通常モードの周期で積算処理を行う。１４秒以降は、再び点滅モードの周期で積算処理を行う。
【０１１２】
このように、モード管理部１５に記憶された、ＬＥＤ表示装置の動作モードに応じたタイミングで積算処理を行う場合でも、少なくとも実施の形態３と同様の効果は得ることができ、一定周期で積算処理を行う場合よりも輝度補正の精度を向上させることができる。
【０１１３】
なお、本実施の形態においても、入力部１３にタイミング情報が入力されない場合には、積算部６はランダムな周期で積算処理を行ってもよい。
【０１１４】
＜ＬＥＤ表示装置のハードウェア構成＞
図１７は、上述したＬＥＤ表示装置１００Ａ〜１００Ｄのいずれか一つとして用い得るＬＥＤ表示装置２００のハードウェア構成の一例を示すブロック図である。図１７に示されるように、ＬＥＤ表示装置２００は、入力インターフェース２０１、処理回路２０２、第１駆動回路２０３、第１表示装置２０４、記憶装置２０５、メモリ２０６、輝度測定装置２０７、第２駆動回路２０８および第２表示装置２０９を備える。また、これらの各構成要素は、バス２１０で相互に接続されている。
【０１１５】
入力端子２および入力部１３は、入力インターフェース２０１により実現される。輝度測定部９は、輝度測定装置２０７により実現される。
【０１１６】
第１ＬＥＤ表示部１０および第２ＬＥＤ表示部２０は、それぞれ、第１表示装置２０４および第２表示装置２０９に相当する。また、第１駆動部５および第２駆動部８は、それぞれ、第１駆動回路２０３および第２駆動回路２０８に相当する。
【０１１７】
点灯時間記憶部７および輝度低下率記憶部１１は、記憶装置２０５により実現される。記憶装置２０５は、例えば不揮発性のメモリである。
【０１１８】
映像信号処理回路３、輝度補正部４、積算部６、補正係数演算部１２、駆動データ生成部１６、スケジュール管理部１４、およびモード管理部１５の各機能は、処理回路２０２により実現される。処理回路２０２は、専用のハードウェアであってもよいし、メモリ２０６に格納されるプログラムを実行するＣＰＵ（Central Processing Unit、中央処理装置、処理装置、演算装置、マイクロプロセッサ、マイクロコンピュータ、プロセッサ、ＤＳＰともいう）であってもよい。
【０１１９】
処理回路２０２が専用のハードウェアである場合、処理回路２０２は、例えば、単一回路、複合回路、プログラム化したプロセッサ、並列プログラム化したプロセッサ、ＡＳＩＣ、ＦＰＧＡ、またはこれらを組み合わせたものが該当する。映像信号処理回路３、輝度補正部４、積算部６、補正係数演算部１２、駆動データ生成部１６、スケジュール管理部１４、およびモード管理部１５の各部の機能それぞれを個別に設けた処理回路で実現してもよいし、各部の機能をまとめて１つの処理回路２０２で実現してもよい。
【０１２０】
処理回路２０２がＣＰＵの場合、映像信号処理回路３、輝度補正部４、積算部６、補正係数演算部１２、駆動データ生成部１６、スケジュール管理部１４、およびモード管理部１５の各機能は、ソフトウェア、ファームウェア、またはソフトウェアとファームウェアとの組み合わせにより実現される。ソフトウェアやファームウェアはプログラムとして記述され、メモリ２０６に格納される。処理回路２０２は、メモリ２０６に記憶されたプログラムを読み出して実行することにより、各部の機能を実現する。また、これらのプログラムは、映像信号処理回路３、輝度補正部４、積算部６、補正係数演算部１２、駆動データ生成部１６、スケジュール管理部１４、およびモード管理部１５の手順や方法をコンピュータに実行させるものであるともいえる。ここで、メモリ２０６とは、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。
【０１２１】
なお、映像信号処理回路３、輝度補正部４、積算部６、補正係数演算部１２、駆動データ生成部１６、スケジュール管理部１４、およびモード管理部１５の各機能について、一部を専用のハードウェアで実現し、一部をソフトウェアまたはファームウェアで実現するようにしてもよい。このように、処理回路２０２は、ハードウェア、ソフトウェア、ファームウェア、またはこれらの組み合わせによって、上述の各機能を実現することができる。
【０１２２】
なお、上記の各例では、第１ＬＥＤ１および第２ＬＥＤ２１がフルカラー用のＬＥＤである場合について説明したが、第１ＬＥＤ１および第２ＬＥＤ２１は、ＬＥＤ素子を一つだけ含む単色表示用のＬＥＤなど、その他の構成のＬＥＤであってもよい。
【０１２３】
なお、本発明は、その発明の範囲において、各実施の形態を自由に組み合わせたり、各実施の形態を適宜、変形、省略したりすることが可能である。
【符号の説明】
【０１２４】
１  第１ＬＥＤ、１ａ，２１ａ  ＬＥＤ素子、２  入力端子、３  映像信号処理回路、４  輝度補正部、５  第１駆動部、６  積算部、７  点灯時間記憶部、８  第２駆動部、９  輝度測定部、１０  第１ＬＥＤ表示部、１１  輝度低下率記憶部、１２  補正係数演算部、１３  入力部、１４  スケジュール管理部、１５  モード管理部、１６  駆動データ生成部、２０  第２ＬＥＤ表示部、２１  第２ＬＥＤ、１００Ａ〜１００Ｄ，２００  ＬＥＤ表示装置、２０１  入力インターフェース、２０２  処理回路、２０３  第１駆動回路、２０４  第１表示装置、２０５  記憶装置、２０６  メモリ、２０７  輝度測定装置、２０８  第２駆動回路、２０９  第２表示装置、２１０  バス。
【図１】
2018072531.tif 000010
【図２】
2018072531.tif 000011
【図３】
2018072531.tif 000012
【図４】
2018072531.tif 000013
【図５】
2018072531.tif 000014
【図６】
2018072531.tif 000015
【図７】
2018072531.tif 000016
【図８】
2018072531.tif 000017
【図９】
2018072531.tif 000018
【図１０】
2018072531.tif 000019
【図１１】
2018072531.tif 000020
【図１２】
2018072531.tif 000021
【図１３】
2018072531.tif 000022
【図１４】
2018072531.tif 000023
【図１５】
2018072531.tif 000024
【図１６】
2018072531.tif 000025
【図１７】
2018072531.tif 000026